(57)【特許請求の範囲】
【請求項１】
装置本体前面から前方へ引き出し自在に支持された給紙トレイと、該給紙トレイ上の用紙を給紙トレイの引き出し方向と直交する方向へ給紙する給紙手段と、前記給紙トレイ上の用紙の用紙搬送方向に直交する方向の端縁の位置を規制する規制部材と、前記給紙トレイ引き出し時にジャムした用紙を給紙トレイとともに引き出すための係合部材と、を備えた給紙装置において、
前記係合部材が、前記給紙トレイの引き出し方向奥側の規制部材の用紙搬送方向下流側の端部に、用紙搬送方向下流側に突出するように固設されていることを特徴とする給紙装置。
【請求項２】
前記係合部材の先端側は少なくとも平面状の部分を有し、その下面が給紙トレイセット時に最上位の用紙の上面に接触しない最小限の間隔離間した位置に設けられていることを特徴とする請求項１記載の給紙装置。
【請求項３】
前記係合部材と前記規制部材の端部との間に用紙の端縁が入り込む空隙部が設けられていることを特徴とする請求項１または２記載の給紙装置。
【請求項４】
前記空隙部が前記規制部材の用紙が当接する面から給紙トレイの引き出し方向に対して後退した部分を含むことを特徴とする請求項３記載の給紙装置。
【請求項５】
前記係合部材の前記給紙トレイの用紙集積部側の端部が前記規制部材から前記用紙集積部側に微小量突出していることを特徴とする請求項１ないし３のいずれか１項に記載の給紙装置。
【請求項６】
前記用紙集積部側の端部の先端部が給紙トレイの底板に近接するように傾斜していることを特徴とする請求項５記載の給紙装置。
【請求項７】
前記係合部材の用紙搬送方向上流側の前記給紙トレイの引き出し方向奥側の規制部材に、前記規制部材との間に所定の空隙を備えた第２の係合部材を設けたことを特徴とする請求項１ないし６のいずれか１項に記載の給紙装置。
【請求項８】
前記空隙が前記規制部材を切り欠いて形成されていることを特徴とする請求項７記載の給紙装置。
【請求項９】
前記第２の係合部材の用紙搬送方向下流側に突出部が形成されていることを特徴とする請求項７記載の給紙装置。
【請求項１０】
第２の係合部材が、前記給紙トレイに載置される用紙のうちの最小サイズの用紙の中央付近に位置するように設けられていることを特徴とする請求項７記載の給紙装置。
【請求項１１】
請求項１ないし１０のいずれか１項に記載の給紙装置と、
記録媒体に可視画像を形成する画像形成手段と、
を含んでなる画像形成装置。
【発明の詳細な説明】
【０００１】
【発明の属する技術分野】
本発明は、用紙給紙方向とほぼ直交する方向に引き出し可能に装着される給紙トレイと、この給紙トレイ上に載置された用紙の給紙方向と直交する方向（幅方向）端縁の給紙トレイからの逸脱を記載する規制するサイド規制部材とを有する給紙装置、及びこの給紙装置を備えた複写機、ファクシミリ、プリンタ等の画像形成装置に関する。
【０００２】
【従来の技術】
複写機、ファクシミリ、プリンタ等の画像形成装置の装置本体内に収納された位置から装置本体前方へ引き出し自在にレールによって支持された給紙トレイと、収納位置にある給紙トレイ上の用紙を給紙トレイの引き出し方向とほぼ直交する方向に給紙する給紙手段と、該給紙トレイ上に載置された用紙の給紙方向と平行な方向へ延びる幅方向端縁を規制するサイド規制部材と、を有する所謂フロントローディングタイプの給紙装置が従来から知られている。この種の給紙装置の給紙トレイ１００上には、図１３に示すように、用紙Ｐを収容した給紙トレイ１００内に配置され、矢印Ａで示す給紙方向に対して直交する方向（幅方向Ｂ）の用紙両端縁の位置を規制する一対のサイドフェンス１０１，１０２と、給紙方向Ａの上流側の用紙後端の位置を規制するエンドフェンス１０３とが設けられている。給紙トレイ１００内に載置された用紙Ｐは、底板上昇装置（図示せず）によって最上部の用紙が給紙手段による給紙位置に達する高さまで上昇した後、フィードローラ等の給紙手段によって給紙される。
【０００３】
このように構成された従来の給紙装置においては、給紙時に給紙トレイ１００上でジャムが発生すると、用紙を給紙トレイ１００から送り出すフィードローラ付近でジャムした用紙Ｐの先端が止まってしまることがある（図示Ｐ’の状態）。このように用紙先端がフィードローラ付近で停止した状態のとき、ユーザがジャム紙Ｐ’を除去しようとして給紙トレイ１００を矢印Ｂ方向に引き出すと、ジャム紙Ｐ  ’が奥側のサイドフェンス１０１を乗り越え易くなる。特に小サイズ用紙の場合には、給紙トレイの右壁１００’（用紙搬送方向下流側の壁）と奥側のサイドフェンス１０１との間の間隙Ｓをすり抜けて、図７の点線で示すように装置本体内に残ってしまうことがあった。このようにサイドフェンス１０１を乗り越えたジャム紙Ｐ’が装置本体内に残ってしまうと、ユーザが除去することが極めて困難になり、サービスマンに依頼しなければならないコールジャムとなる。このようなコールジャムが発生すると、ユーザ側で対応することができないので、迅速なジャム処理が不可能となり、稼働率を低下させることになる。
【０００４】
一方、この種の装置として例えば特開平９−７７２９１号公報や特開平９−１７５６７７号公報記載の発明が公知である。特開平９−７７２９１号公報には、前記と同様な状況下における残紙防止機構が記載されている。すなわち、この従来例では、前記図１３における奥側のサイドフェンス１０１の上端部に集積された用紙束の上方に突き出された突き出し部を設け、給紙トレイを引き出したときにジャム紙が装置本体内に残ってしまうことを防止するようにしている。
【０００５】
また、特開平９−１７５６７７号公報には、最上紙の用紙先端の両隅を押さえる所謂用紙押さえ部材を設け、この部材によって用紙の位置を規制し、用紙トレイを引き出した時に用紙が装置内に残らないようにする技術が開示されている。
【０００６】
【発明が解決しようとする課題】
ところで、前記特開平９−７７２９１号公報記載の発明におけるこの突き出し部は、載置される用紙のセット領域（奥側端縁）よりも奥側に退避している。そのため給紙トレイを引出した時にジャム用紙が奥側のサイドフェンス（図７における１０１に対応）に突き当たり、大きく撓むと、サイドフェンスを乗り越える際に突き出し部にも用紙が引っかからないことがある。そこで、この突き出し部が設けられたサイドフェンスを高くすれば、乗り越えようとする用紙を確実に引掛けることが可能となるが、近年の画像形成装置では、給紙トレイの多段化により一段当たりの高さが抑えられているため、突き出し部の高さを充分に取れない場合が多くなってきている。
【０００７】
また、特開平９−１７５６７７号公報に記載されている残紙防止機構は、前記最上位の両隅を押さえる用紙押さえ部材を配置し、用紙の乗り越えを防止しているが、構成が複雑で、前記部材が奥側のサイドフェンス（図７における１０１に対応）と手前側のサイドフェンス（図７における１０２に対応）から大きく用紙側に突き出しているため、用紙補充が困難となってしまう。
本発明はこのような従来技術の実情に鑑みてなされたもので、その目的は、給紙方向と給紙トレイの引き出し方向とが直交するフロントローディングタイプの給紙装置において、給紙トレイの高さ方向の寸法を抑えることが可能で、用紙ジャム時に用紙が装置本体内に残ることがない給紙装置及びそのような給紙装置を備えた画像形成装置を提供することにある。
【０００８】
また、他の目的は、給紙トレイ内に用紙をセットする際に用紙の破損を防止し、ユーザの操作性向上を図ることができる給紙装置及びそのような給紙装置を備えた画像形成装置を提供することにある。
【０００９】
さらに、他の目的は、前記給紙装置における残紙処理能力を更に高めることが可能な給紙装置及びそのような給紙装置を備えた画像形成装置提供することにある。
【００１０】
【課題を解決するための手段】
前記目的を達成するため、第１の手段は、装置本体前面から前方へ引き出し自在に支持された給紙トレイと、該給紙トレイ上の用紙を給紙トレイの引き出し方向と直交する方向へ給紙する給紙手段と、前記給紙トレイ上の用紙の用紙搬送方向に直交する方向の端縁の位置を規制する規制部材と、前記給紙トレイ引き出し時にジャムした用紙を給紙トレイとともに引き出すための係合部材と、を備えた給紙装置において、前記係合部材を、前記給紙トレイの引き出し方向奥側の規制部材の用紙搬送方向下流側の端部に、用紙搬送方向下流側に突出するように固設したことを特徴とする。
【００１１】
このように係合部材を設けると、用紙がジャムして給紙トレイを引き出したときに用紙の撓みが少ない位置で係合部材が用紙端部に係合し、給紙トレイの引き出し動作に伴って確実に用紙を引き出すことができる。
【００１２】
この場合、前記係合部材の先端側には少なくとも平面状の部分を設け、その下面が給紙トレイセット時に最上位の用紙の上面に接触しない最小限の間隔離間した位置に前記係合部材を設ける。これによって、給紙トレイの高さ方向の寸法を最小限に抑えた上で、係合部材の機能を発揮させることができる。また、前記係合部材と前記規制部材の端部との間に用紙の端縁が入り込む空隙部を設ける。これにより、用紙端部と係合部材との係合がより確実に行え、用紙を容易に捕捉できる。
【００１３】
なお、前記空隙部は、前記規制部材の用紙が当接する面から給紙トレイの引き出し方向に対して後退した部分を含むようにする。これにより空隙の部分が平面視、正面視、側面視、鉤型に形成され、用紙の捕捉がより確実になる。
【００１４】
また、前記係合部材の前記給紙トレイの用紙集積部側の端部を前記用紙集積部側に微小量突出させるとよい。前記端部は前記規制部材の用紙規制側の面から前記用紙集積部側に突出させない方が用紙のセット性が良く、突出させなくとも充分に機能するが、微小量突出させることにより用紙の捕捉性が向上する。その際、前記用紙集積部側の端部を、先端部が給紙トレイの底板に近接するように傾斜させれば、さらに捕捉性が向上する。更に、このように傾斜させることにより、係合部材が用紙集積部側に微少量突出している場合でも、給紙トレイ内に用紙をセットする際に用紙が破損する可能性を最小限にすることができる。
【００１５】
第２の手段は、第１の手段において、前記係合部材の用紙搬送方向上流側の前記給紙トレイの引き出し方向奥側の規制部材に、前記規制部材との間に所定の空隙を備えた第２の係合部材を設けたことを特徴とする。このように構成すると、規制部材端部に設けた係合部材によって用紙の捕捉がうまく行われなかった場合に、第２の係合部材によって用紙搬送方向上流側で用紙端部を捕捉することができる。
【００１６】
その際、前記規制部材を切り欠くことによって前記空隙を形成し、さらに、前記第２の係合部材の用紙搬送方向下流側に突出部を形成する。これにより、規制部材の成形時に簡単に空隙を設けることができ、用紙の捕捉性も前記空隙と突出部とによりさらに向上する。また、第２の係合部材の設置位置を前記給紙トレイに載置される用紙のうちの最小サイズの用紙の中央付近に設定する。これにより第２の係合部材の捕捉機能を確実に発揮させることができる。
【００１７】
第３の手段は、第１または第２の手段に係る用紙処理装置と、可視画像によって画像を形成する画像形成手段とをから画像形成装置を構成することを特徴とする。これにより、用紙ジャム時に用紙が装置本体内に残らずに給紙トレイとともに確実に引き出すことができる画像形成装置を提供することが可能となる。
【００１８】
【発明の実施の形態】
以下、図面を参照し、本発明の実施形態について説明する。
【００１９】
＜第１の実施形態＞
図１は、本発明の一実施形態に係る給紙装置を備えた画像形成装置としての複写装置を正面側から見た概略構成図である。
【００２０】
図１において、複写装置１は複写装置本体１ａと給紙台１ｂとからなり、給紙台１ｂの上に複写装置本体１ａが載置され、１つのシステムを構成している。複写装置本体１ａと給紙台１ｂには、給紙トレイ２が装着される給紙トレイ装着部が設けられており、本例では複写装置１ａに１段、給紙装置１ｂに２段の給紙トレイ２が配設されている。この給紙トレイ２は、例えば図８に示すように両側に設けられたレール１４により前後方向にスライドさせて装置本体１ａの前面、あるいは給紙台１ｂの前面から矢印Ｂで示した方向（前方向）に引き出すことができる。なお、ここでいう前方向とは装置を操作するときにユーザが対向する面である装置前面の方向を言う。また、給紙台１ｂの給紙トレイ２から複写装置本体１ａに用紙を給紙するための縦搬送部１ｉが図示右側面に開閉可能に設けられている。
【００２１】
複写装置本体１ａには、原稿を読み取り、感光体１ｄの表面に書き込む画像読み取りユニット（スキャナ）１ｃ、感光体１ｄの表面に書き込まれた潜像を現像して可視化し、給紙トレイ２から搬送されてきた用紙上に転写する作像ユニット１ｅ、画像が転写された用紙に対して画像を定着させる定着ユニット１ｆが設けられ、画像が定着された用紙は排紙ローラ１ｇから排紙トレイ１ｈに排紙される。
【００２２】
図２は給紙装置の給紙トレイ部分を示す平面図、図３、図４及び図５はそれぞれ図２のＩ−Ｉ線断面図、II−II線断面図、III−III断面図で、図４及び図５は用紙が撓んだ状態を示している。また、図６は図３Ｍ部分の拡大図、図７は図５Ｎ部分の拡大図である。
【００２３】
図２ないし図５において、給紙トレイ２内には矢印Ａで示す給紙方向に対して略直交する幅方向の用紙Ｐ端縁の位置を規制する規制部材としての一対のサイドフェンス３，４と、給紙方向Ａに沿った用紙Ｐの後端縁の位置を規制するエンドフェンス５とが設けられ、用紙Ｐは図３に示す底板６上に載置される。この底板６には、底板上昇装置が設けられており、底板上昇装置は底板６を押し上げる上昇アーム７、該上昇アーム７を回動させる上昇軸８を備え、上昇軸８に対しては装置本体１側に設けられた上昇モータ９により回転駆動力が伝達される。底板は平面視Ｔ字形に形成され、前記サイドフェンス３，４よりも用紙搬送方向下流側の底板の部分（拡幅部）６ａは最大紙の幅に対応した寸法に設定され、サイドフェンス３，４の間に位置する部分６ｂは最小紙の幅に対応した寸法に設定されている。これにより種々の用紙サイズに１つの給紙トレイ２で対応できるように構成されたものでは、サイドフェンス３，４の用紙搬送方向下流側と給紙トレイ２の右壁（用紙搬送方向下流側の壁）２ａとの間に空間部が形成され、この間で前記拡幅部６ａが上昇下降可能になっている。
【００２４】
給紙トレイ２が装置本体１内にセットされると、図示しないセット検知手段によりトレイセットが検知され、上昇モータ９が回転し、カップリング１０と上昇軸８との噛み合いにより上昇軸８に駆動力が伝達され、上昇アーム７が底板６を押し上げる。そして、最上用紙Ｐが給紙位置まで達すると、上昇モータ９が駆動を停止し、給紙可能状態となる。また、給紙トレイ２を装置本体１から引き出すと、カップリング１０と上昇軸８の噛み合いが外れ、用紙Ｐ及び底板６は自然落下する。
【００２５】
装置本体１側に設けられている給紙手段はそれ自体公知の摩擦分離方式の給紙手段であって、ピックアップローラ１１、フィードローラ１２及びリバースローラ１３の主要な３つのローラからなり、ピックアップローラ１１、フィードローラ１２はアイドラ（図示せず）によって連動して駆動される。リバースローラ１３は、常時、送り方向とは逆方向に回転し、用紙Ｐを１枚ずつ分離する。また、サイドフェンス３，４のうち、給紙トレイ２の引き出し方向Ｂに対して奥側のサイドフェンス３には、残紙防止用の係合部材としての突き出し部１５が設けられている。この突き出し部１５は、図６に示すように前記拡幅部６ａ側へオーバーハングして突き出す突き出し板部１７と、奥側のサイドフェンス３と突き出し板部１７を連結する結合部（基部）１６とから構成されている。
【００２６】
図３ないし図７に示すように、突き出し部１５の突き出し板部１７は用紙の最上面より上方に位置して用紙がセット（集積）される領域Ｒ側に張り出し、かつ奥側のサイドフェンス３の搬送方向下流側端部よりも更に下流位置に配されているので、図６に示すように、該突き出し部１５の突き出し板部１７と奥側のサイドフェンス３の搬送方向下流側端部との間に隙間ｒ１（突き出し板部１７が存在しない領域）を有する。また、該隙間ｒ１はサイドフェンス３と突き出し板部１７を結合部１６で連結することにより形成されるが、この結合部１６は奥側のサイドフェンス３よりも装置前面側に載置される用紙のセット領域Ｒ（用紙奥側端縁）よりもさらに奥側に退避しているため、図７にも示すように空間ｒ２を有している。そして、前記隙間ｒ１と前記空間ｒ２とによって用紙端部に係合する空隙部が形成されることになる。更に、図６に示したように突き出し部１５の突き出し板部１７の下面１７ｃの高さ位置は底板上昇時の最上部用紙Ｐが当接しない高さｈが保持されるように設けられている。これは、用紙への加傷、底板への加傷および突き出し部１５の損傷を防止するためである。
【００２７】
複写装置１などの画像形成装置では、機械内部でジャムが発生した場合、ジャム状態がひどくなるのを防ぐためにジャム検知された時点で駆動を即時停止する。このとき、複写装置１あるいは給紙装置１ｂの縦搬送部１ｉを開放してジャム処理を行うが（図１参照）、用紙先端がフィードローラ１２付近で止まってしまったジャム紙Ｐ’は、縦搬送部１ｉ側から処理することはできない。そこで、給紙トレイ２を引き出すことになる。このように給紙トレイ２を矢印Ｂ方向に引き出すと、ジャム紙Ｐ’の奥側の端縁が奥側のサイドフェンス３と突き当たり、図４に示すように大きく撓むことがある。このとき、該突き出し部１５が奥側のサイドフェンス３の上方まで続いて単に上方向に突き出しているような形状では、用紙が大きく撓んだところから奥側のサイドフェンス３及び突き出し部１５をも乗り越えて給紙トレイ２のみが引き出され、ジャム紙Ｐ’が本体に残留することがあった。これに対して、本実施形態では突き出し部１５は奥側のサイドフェンス３の給紙方向下流側の端縁よりも更に給紙方向下流側に位置しているため、図５に示すように用紙の奥側端縁のうち、撓みの少ない下流側端縁部分が突き出し部１５の隙間ｒ１から空間ｒ２に入り込む。このようにして突き出し部１５の突き出し板部１７によって形成される隙間ｒ１と空間ｒ２とからなる空隙部によってジャム紙Ｐ’を突き出し部１５に引掛けることができる。これにより、用紙の図４に示すような用紙の撓みに関係なくジャムした用紙Ｐ’を捕捉することが可能となり、確実にジャム紙Ｐ’を給紙トレイ２とともに引き出すことができる（図８）。なお、図４のような撓みが発生するのは、特に用紙搬送方向の中央部にフィードローラ１１が位置し、フィードローラ１１によって用紙の搬送方向の中央部が押さえられた状態で奥側から手前側に給紙トレイ２が引き出されるからである。
【００２８】
また、本実施形態のように、サイドフェンス３の搬送方向下流端部より更に下流側に突き出し部１５を排紙すると、特に小サイズ用紙の場合に見られる給紙トレイの右壁２ａと奥側のサイドフェンス３の隙間を用紙後端がすり抜けるような残紙の発生も防止することができる。
【００２９】
また、本実施形態においては、図５及び図７に示すように、突き出し板部１７の装置前面側の端部１７ａの位置を、トレイ上に載置される用紙のセット領域Ｒの奥側端縁よりも用紙側（前面側）に微小量ｄだけ突出させている。これにより、ジャム紙は更に隙間ｒ１及び空間ｒ２に入り込み易くなり、突き出し部１５に引っ掛かって、給紙トレイ２と共に引き出される。微小量ｄは、用紙セット時の用紙の撓みを考慮し、用紙セット性が損なわれない程度の値に設定される。
【００３０】
このように突き出し部１５が用紙セット領域に微小量ｄだけ単に突出させただけでは、用紙セットの仕方によっては用紙を破損する虞がある。そこで、図７に示すように、用紙セット領域Ｒへ微小量ｄ突出している突き出し板部１７の先端部（前端部）１７ａを下側（底板６側）に曲げて傾斜させる。このように突き出し板部１７の先端部１７ａを底板６側に曲げて傾斜させると、用紙セット時に前記先端部１７ａがガイドとなって用紙Ｐを底板６方向に導くことができ、用紙Ｐの破損を防止することが可能となる。また、突き出し板部１７の奥側端部（後端部）１７ｂも下側に曲げて傾斜させれば、給紙トレイ２の脱着時に下側に曲げた部分がガイドとなって装置本体１及び上部の給紙トレイ２との衝突を回避し、もしくは緩衝し、給紙トレイ２や装置本体１の破損を防止することができる。
【００３１】
なお、本実施形態の給紙装置はフィードローラ１２とリバースローラ１３とからなるフリクションローラを使用したものを例示しているが、フリクションバッドなどの他の方式の給紙機構を有する給紙装置あるいは画像形成装置に適用することができることは言うまでもない。また、本実施形態では、突き出し部１５を奥側のサイドフェンス３と一体に構成しているが、別体に構成してもよい。さらに、本実施形態では、本発明の給紙装置を画像形成装置に一体的に装備した構成例を示したが、画像形成装置とは別体に給紙装置を設けても良く、本発明の要旨を逸脱しない範囲で変更を加え得ることはいうまでもない。
【００３２】
＜第２の実施形態＞
以下、本発明の第２の実施形態について説明する。
図９ないし図１２は本発明の第２の実施形態に係る給紙装置を説明するためのもので、図９は給紙装置の平面図、図１０は図７におけるII−II線断面図、図１１は第２の突き出し部の要部正面図、図１２は動作を示す斜視図である。なお、以下の説明において、前述の第１の実施形態と同等な各部には同一の参照符号を付し、重複する説明は適宜省略する。
【００３３】
この第２の実施形態に係る給紙装置は、図９及び図１０に示すようにサイドフェンス３の突き出し部１５（以下、第１の突き出し部と称す）より用紙搬送方向（矢印Ｘ方向）上流側すなわち用紙後端側に第２の突き出し部１８を設けたことを特徴としている。この第２の突き出し部１８は、用紙Ｐの載置範囲よりも給紙トレイ２の引き出し方向奥側（反矢印Ｙ方向）に位置する突き出し板部２０と、サイドフェンス３に突き出し板部２０を連結する結合部１９と、突き出し板部２０から用紙Ｐの搬送方向Ｘ下流側へ突出する凸部２１とから構成され、この凸部２１の下部にあたるサイドフェンス３部分は切り欠かれている。
【００３４】
第２の突き出し部１８の下側におけるサイドフェンス３の上縁部分の高さは他の部分に比べて低く設定されており、図１１に示すように突き出し板部２０とサイドフェンス３との間に隙間ｒ３が形成され、これによって突き出し板部２０とサイドフェンス３の上面との間に用紙端部を係合させることができる空隙が形成されることになる。更に、サイドフェンス３の上縁部分に対する突き出し板部１７，２０の高さｈは、これら突き出し板部１７，２０が、装置本体１及び上側に位置する他の給紙トレイ２と干渉しないような寸法に設定されている。その他、特に説明しない各部は前述の第１の実施形態と同等に構成されている。
【００３５】
複写装置１などの画像形成装置では、用紙Ｐの送出時に紙詰まり（ジャム）が生じた場合、ジャム状態が悪化することを防ぐために、前述のように給紙部の駆動を瞬時に停止させる。次いで、複写機本体１あるいは給紙装置本体２の縦搬送路２ａを開放して、ジャム紙Ｐ’を処理することになるが、ジャム紙Ｐ’の先端部分がフィードローラ１２付近で止まってしまった場合は、縦搬送経路の開放では対処できないので、給紙トレイ２を引き出すことになる。このようなジャム紙Ｐ’に対して、Ａ３、Ｂ４、Ａ４縦などの大サイズの用紙Ｐのように用紙Ｐが底板６の範囲外にある場合には、底板６が上昇する際に用紙Ｐが撓むため、給紙トレイ２の引き出し方向にある程度の弾性力が生じる。これにより、前記のサイズのジャム紙Ｐ’が給紙トレイ２の引き出しに伴って、サイドフェンス３に突き当たっても、図４に示すように大きく撓むことはない。そのため、ジャム紙Ｐ’の縁部は、第１の突き出し部１５に引っ掛かり、図６に示す隙間ｒ１及び図７に示す空間ｒ２からなる空隙部に入り込んで、給紙トレイ２とともに装置本体１の外部に同時に引き出される。しかし、ジャム紙Ｐ’が、Ａ４横、Ｂ５横などである場合は、底板６が上昇した際に、用紙Ｐが搬送面に対してフラットなので、ジャム紙Ｐ’が奥側のサイドフェンス３に突き当たったときに、図４に示すように大きく撓みやすく、給紙トレイ２に用紙Ｐが満載されているとき、あるいは満載状態から１００枚程度消費した程度の積載量では、第１の突き出し部１５に対するジャム紙Ｐ’の縁部の引っ掛かりが不充分となることに起因して、ジャム紙Ｐ’の縁部が隙間ｒ１及び空間ｒ２に入り込まずに、図１２に示すように第１の突き出し部１５を乗り越えてしまうことがある。
【００３６】
このように、ジャム紙Ｐ’の搬送方向Ｘに対して下流寄り部分が第１の突き出し部１５を乗り越えようとすると、当該ジャム紙Ｐ’の搬送方向Ｘの上流寄り部分の縁部が第２の突き出し部１８に引っ掛かり、図１１に示す隙間ｒ３に入り込む。これによって、ジャム紙Ｐ’を給紙トレイ２とともに、複写装置１ａあるいは給紙装置１ｂの外部に同時に引き出すことができる。また、突き出し板部２０に、用紙Ｐの搬送方向Ｘの下流側へ突出した凸部２１を設けているので、隙間ｒ３に入り込む前記のジャム紙Ｐ’を、第２の突き出し部１８に確実に引っ掛けることができる。
【００３７】
更に、第２の突き出し部１８の下側におけるサイドフェンス３を切り欠いて隙間ｒ３（空隙）を形成するとともに、サイドフェンス３の高さを他の部分よりも低くしているので、隙間ｒ３を大きくすることができ、ジャム紙Ｐ’が第２の突き出し部１８に引っ掛かりやすくなる。これに加えて、第２の突き出し部１８は、給紙トレイ２の用紙Ｐ積載範囲よりも奥側に位置しているので、用紙Ｐを給紙トレイ２に載置（セット）するときに、用紙Ｐが第２の突き出し部１８に衝突せず、用紙Ｐへの加傷を回避できる。
【００３８】
なお、第２の突き出し部１８は、給紙トレイ２に載置する種々の用紙Ｐのうちの最小サイズのものの中央付近に位置させるようにすることが、第２の突き出し部１８へのジャム紙Ｐ’の引っ掛かりを確実にするうえで重要である。
【００３９】
その他、特に説明しない各部は前述の第１の実施形態と同等に構成され、同等に機能する。
【００４０】
【発明の効果】
以上のように本発明によれば、給紙トレイの引き出し方向奥側の規制部材の用紙搬送方向下流側の端部に用紙搬送方向下流側に突出するように係合部材を固設したので、用紙がジャムして給紙トレイを引き出したときに用紙の撓みが少ない位置で係合部材が用紙端部に係合し、給紙トレイの引き出し動作に伴って確実に用紙を引き出すことが可能となり、用紙ジャム時に用紙が装置本体内に残ることがないようにすることができる。
【００４１】
また、本発明によれば、係合部材の先端側に少なくとも平面状の部分を有し、その下面が給紙トレイセット時に最上位の用紙の上面に接触しない最小限の間隔離間した位置に前記係合部材を設けたので、高さ方向の寸法を最小限に抑えた上で係合部材の機能を発揮させることができる。
【００４２】
また、本発明によれば、係合部材と規制部材の端部との間に用紙の端縁が入り込む空隙部を設けたので、用紙端部と係合部材との係合がより確実に行え、用紙を容易に捕捉できる。
【００４３】
また、本発明によれば、係合部材の先端部を微小量突出させたとき、前記係合部材の用紙集積部側の先端部を給紙トレイの底板に近接するように傾斜させているので、捕捉性が向上するとともに、給紙トレイ内に用紙をセットする際に用紙が破損する可能性を最小限にすることができ、ユーザの操作性の向上を図ることができる。
【００４４】
さらに、本発明によれば、係合部材の用紙搬送方向上流側の給紙トレイの引き出し方向奥側の規制部材に、規制部材との間に所定の空隙を備えた第２の係合部材を設けたので、規制部材の端部に設けた係合部材によって用紙の捕捉がうまく行われなかった場合に、第２の係合部材によって用紙搬送方向上流側で用紙端部を捕捉することができ、残紙処理能力を更に高めることが可能となる。
【図面の簡単な説明】
【図１】本発明の第１の実施形態に係る給紙装置を備えた画像形成装置の概略構成を示す図である。
【図２】本発明の第１の実施形態に係る給紙装置の給紙トレイ部分を示す平面図である。
【図３】図２のＩ−Ｉ線断面図である。
【図４】図２のII−II線断面図である。
【図５】図２のIII−III線断面図である。
【図６】図２のＭ部を拡大して示す図である。
【図７】図５のＮ部を拡大して示す図である。
【図８】本発明の第１の実施形態に係る給紙装置の給紙トレイ部を用紙ジャム時に引き出したときの状態を示す斜視図である。
【図９】第２の第２の実施形態に係る給紙装置の給紙トレイ部分を示す平面図である。
【図１０】図９のIV−IV線断面図である。
【図１１】図１０のＬ部を拡大して示す図である。
【図１２】本発明の第１の実施形態に係る給紙装置の給紙トレイ部を用紙ジャム時に引き出したときの状態の一例を示す斜視図である。
【図１３】従来の給紙装置の態様を示す斜視図である。
【符号の説明】
１  複写装置
１ａ  装置本体
１ｂ  給紙装置
１ｉ  縦搬送部
２  給紙トレイ
３，４  サイドフェンス
５  エンドフェンス、
６  底板
６ａ  拡幅部
１５  突き出し部（第１の係合部材）
１６  結合部
１７  突き出し板部
１７ａ  突き出し板部の下面
１８  突き出し部（第２の係合部材）
１９  結合部
２０  突き出し板部
ｒ１，ｒ３  隙間
ｒ２  空間
【図１】
0003973969.tif 000002
【図２】
0003973969.tif 000003
【図３】
0003973969.tif 000004
【図４】
0003973969.tif 000005
【図５】
0003973969.tif 000006
【図６】
0003973969.tif 000007
【図７】
0003973969.tif 000008
【図８】
0003973969.tif 000009
【図９】
0003973969.tif 000010
【図１０】
0003973969.tif 000011
【図１１】
0003973969.tif 000012
【図１２】
0003973969.tif 000013
【図１３】
0003973969.tif 000014